(57)【要約】      （修正有）【課題】非常に簡単に、検出センサーの動作確認、及び検針機の設置状態の測定を可能とする検針機の動作方法、及び検針機を提供すること。【解決手段】混入した金属類の被検出物を検出する検出センサーを、複数並列に配置した検出ヘッドを備えた検針機１０００において、検出センサー３１０〜３５０の動作確認を行う動作確認及び検針機の設置状態の測定を行う検針機の動作方法であって、検出センサーの検出領域を横断可能な長さのテストピース５１０を、検出センサーの検出領域へと横断させ、その際の検出値に基づき、当該検出センサーの動作確認を行うものであり、検針機の設置状態の測定は、被検出物を検出ヘッド３００へ向けて搬送する搬送ベルト２００の動作を停止させた状態における、検出センサーの検出値に基づき行うことと、搬送ベルトを動作させた状態における、検出センサーの検出値に基づき行うこと、とを切り換えて行えることを特徴とする。【選択図】図１
2020204482.tif 000002
【特許請求の範囲】
【請求項１】
衣類等の対象物内に混入した金属類の被検出物を検出する検出センサーを、複数並列に配置した検出ヘッドを備えた検針機において、前記検出センサーの動作確認及び前記検針機の設置状態の測定を行う前記検針機の動作方法であって、
前記検出センサーの動作確認は、前記検出センサーの検出領域を横断可能な長さのテストピースを、前記検出センサーの検出領域へと横断させ、その際の前記検出センサーの検出値に基づき、当該検出センサーの動作確認を行うものであり、
前記検針機の設置状態の測定は、前記被検出物を前記検出ヘッドへ向けて搬送する搬送ベルトの動作を停止させた状態における、前記検出センサーの検出値に基づき行うことと、前記搬送ベルトを動作させた状態における、前記検出センサーの検出値に基づき行うこと、とを切り換えて行えることを特徴とする検針機の動作方法。
【請求項２】
衣類等の対象物内に混入した金属類の被検出物を検出する検出センサーを、複数並列に配置した検出ヘッドと、
前記検出センサーの動作確認を行う動作確認装置と、
前記検針機の設置状態の測定を行う設置状態測定装置と、
を備えた検針機であって、
前記動作確認装置は、      
前記検出センサーの検出領域を横断可能な長さのテストピースが、前記検出センサーの検出領域を横断した際の、前記検出センサーの検出値に基づき、当該検出センサーの動作確認を行うように構成されており、
前記設置状態測定装置は、前記被検出物を前記検出ヘッドへ向けて搬送する搬送ベルトの動作を停止させた状態における、前記検出センサーの検出値に基づき、前記検針機の設置状態の測定を行うことと、前記搬送ベルトを動作させた状態における、前記検出センサーの検出値に基づき、前記検針機の設置状態の測定を行うこと、とを切り換えて行えるように構成されていることを特徴とする検針機。
【発明の詳細な説明】
【技術分野】
【０００１】
本願発明は、例えば縫製品、インテリア製品、食料品、玩具等の製造工程中において混入した縫い針等の金属類を検出する検出センサーを備えた検針機において、当該検出センサーの動作確認、及び検針機の設置状態の測定を行う検針機の動作方法、並びに検針機に関するものである。
【背景技術】
【０００２】
従来から、様々な検針機が開発されているが、例えば、特許文献１に示す検針機１０００が知られている。この検針機１０００は、図３（ａ）に示すように、検針機１０００の動作を制御する制御装置等が格納された土台部１００と、衣類等の対象物を搬送する搬送ベルト２００と、対象物内に混入した金属類の被検出物を検出する検出ヘッド３００とからなる。
【０００３】
この検出ヘッド３００は門型形状であり、この検出ヘッド３００と搬送ベルト２００との間に検出領域を発生させている。そして、この検出領域へ搬送ベルト２００によって、衣類等の対象物が搬送された際に、対象物内に金属等の被検出物が混入していると、検出ヘッド３００が被検出物を検出して、検針機１０００の使用者に被検出物の混入を知らせる。
【０００４】
そして、この検出ヘッド３００は、複数の検出センサー３１０から検出センサー３５０を、検出ヘッド３００の長尺方向へ並列に配置している。
【０００５】
では、図３（ｂ）を参照して、各検出センサーの詳しい構成について説明する。なおすべての検出センサーの構成は同一なので、図３（ｂ）では、その代表として、検出センサー３１０についてのみ説明する。この検出センサー３１０は、搬送ベルト２００の下面に配置された下検出部３１１と、検出ヘッド３００内部に配置された上検出部３１２とからなる。この下検出部３１１と上検出部３１２との間には、直流磁界３１３を発生させており、この直流磁界３１３に被検出物が通過することで、直流磁界３１３は、乱されたり遮断されたりして変化する。そして、この変化により誘起される誘起電圧（検出値）を測定することにより、検出センサー３１０は被検出物を検知することができる。また、この直流磁界３１３は、被検出物を検出する領域であるから、以下、検出領域と呼ぶ。
【０００６】
ところで、どのような検針機であっても、稼働前や定期的に、検出センサーが正常に動作するか確認する必要がある。当然ながら、この複数の検出センサーを備える検針機１０００も例外ではなく、稼働前や定期的に、各検出センサーが故障等しておらず、正常に動作するかの動作確認作業を行う。この動作確認作業では、図４（ａ）及び（ｂ）に示すように、略立方体形状をした設置台４００の上表面に配置された、金属製（主に、鉄が採用される）の球体状のテストピース４１０を用いる。そして、設置台４００を搬送ベルト２００により、検出ヘッド３００に向けて搬送して、各検出センサーの動作確認を行っていく。
【０００７】
ところで、隣接する検出センサーの検出領域は、検出センサーの特性上互いに重なり合うようになっているため、各検出センサーの検出領域内では、検出感度が弱い箇所と強い箇所が生じている。そして、検出センサーが正常に動作するか確認する際は、この検出感度が弱い箇所においても、テストピース４１０を確実に検出できるか否かを確認する必要がある。
【０００８】
具体的には、確認作業を行うユーザは、図４に示すように、検出感度が弱いと思われる特定の検出領域へ進入させられるように、搬送ベルト２００の特定の位置へ、テストピース４１０を載せて矢印方向へ搬送させる。そして、テストピース４１０が検出センサーによって検出されると、搬送ベルト２００が停止し、検針機１０００はテストピース４１０を通過させないのである。このようにして、ユーザは検出センサーが正常に動作するのか否かの確認作業を行っているのである。ただ、ユーザは、検出感度が弱いと思われる箇所へ、テストピース４１０を手動で配置しているため、その配置作業は感覚に頼るところもあり、確認作業の正確性も再現性も低いという問題があった。
【０００９】
また、検針機１０００が設置された場所によっては、周囲の外部環境から、検出センサーの検出領域へ侵入してくる電磁波等のノイズの影響によって、検出センサーの検出感度が狂い、正常な検出動作が出来なくなる問題があった。そのため、事前に、検針機１０００の設置場所においてノイズ等の影響の有無を知る必要があった。
【先行技術文献】
【特許文献】
【００１０】
【特許文献１】特開２０１２−１８９４１２
【発明の開示】
【発明が解決しようとする課題】
【００１１】
そこで、本願発明は、上記問題に鑑み、非常に簡単に、検出センサーの動作確認、及び検針機の設置状態の測定を可能とする検針機の動作方法、及び検針機を提供するものである。
【課題を解決するための手段】
【００１２】
上記課題を解決するために、本願発明の検針機の動作方法は、衣類等の対象物内に混入した金属類の被検出物を検出する検出センサーを、複数並列に配置した検出ヘッドを備えた検針機において、前記検出センサーの動作確認及び前記検針機の設置状態の測定を行う前記検針機の動作方法であって、前記検出センサーの動作確認は、前記検出センサーの検出領域を横断可能な長さのテストピースを、前記検出センサーの検出領域へと横断させ、その際の前記検出センサーの検出値に基づき、当該検出センサーの動作確認を行うものであり、前記検針機の設置状態の測定は、前記被検出物を前記検出ヘッドへ向けて搬送する搬送ベルトの動作を停止させた状態における、前記検出センサーの検出値に基づき行うことと、前記搬送ベルトを動作させた状態における、前記検出センサーの検出値に基づき行うこと、とを切り換えて行えることを特徴とする。
【００１３】
また、本願発明の検針機は、衣類等の対象物内に混入した金属類の被検出物を検出する検出センサーを、複数並列に配置した検出ヘッドと、前記検出センサーの動作確認を行う動作確認装置と、前記検針機の設置状態の測定を行う設置状態測定装置と、を備えた検針機であって、前記動作確認装置は、 前記検出センサーの検出領域を横断可能な長さのテストピースが、前記検出センサーの検出領域を横断した際の、前記検出センサーの検出値に基づき、当該検出センサーの動作確認を行うように構成されており、前記設置状態測定装置は、前記被検出物を前記検出ヘッドへ向けて搬送する搬送ベルトの動作を停止させた状態における、前記検出センサーの検出値に基づき、前記検針機の設置状態の測定を行うことと、前記搬送ベルトを動作させた状態における、前記検出センサーの検出値に基づき、前記検針機の設置状態の測定を行うこと、とを切り換えて行えるように構成されていることを特徴とする。
【００１４】
これら上記特徴によれば、各検出センサーの検出領域を横断可能な長さのテストピースを、各検出センサーの検出領域へと一度に横断させるので、各検出センサーの検出感度の弱い部分を含む検出領域全体を横断させた際の検出値に基づいて動作確認を行えることから、上記従来技術のように、ユーザが、検出領域のある特定の部分（検出感度が弱い部分）にテストピースを通過させなければならないという、非常に手間がかかり、再現性や正確性が低い作業をする必要がないのである。
【００１５】
さらに、搬送ベルトの動作を停止させた状態における、検出センサーの検出値に基づき、検針機の設置状態の測定を行うことができるため、検針機の設置場所が、外部環境から侵入する電磁波等のノイズの影響が無く、正常に作動するのに適した場所であるか否かの確認を行うことができる。また、搬送ベルトを駆動させた状態における、検出センサーの検出値に基づき、検針機の設置状態の測定を行うことができるため、検針機が設置場所に水平に正しく設置されているか等の確認を行うことができる。そして、搬送ベルトの動作を停止させた状態における検針機の設置状態の測定と、搬送ベルトを駆動させた状態における検針機の設置状態の測定とは、切り替えて行うことができるため、非常に利便性が高いのである。
【発明の効果】
【００１６】
本願発明の検針機の動作方法、及び検針機によれば、非常に簡単に、検出センサーの動作確認、及び検針機の設置状態の測定を可能とする。
【図面の簡単な説明】
【００１７】
【図１】（ａ）は、本願発明の検針機の平面図の前端側を拡大表示したもの、（ｂ）は、同検針機の側面図、（ｃ）は検出センサーの検出値を示す一例である。
【図２】図１で示した本願発明の検針機のシステム構成の概略図である。
【図３】（ａ）は、本願発明の背景技術の一例として示す検針機の斜視図、（ｂ）は図３（ａ）におけるＡ―Ａ断面図である。
【図４】（ａ）は、本願発明の背景技術の一例として示す検針機の平面図であって、前端側を拡大表示したもの、（ｂ）は図４（ａ）における検針機の側面図である。
【符号の説明】
【００１８】
３００        検出ヘッド
３１０、３２０、３３０、３４０、３５０           検出センサー
３１３、３２３、３３３、３４３、３５３           検出領域
Ｄ            検出値
５１０        テストピース
６００        動作確認装置
【発明を実施するための形態】
【００１９】
以下に、本願発明の実施の形態について、図面を用いて説明する。
【００２０】
図１（ａ）は、本願発明の検針機１０００の平面図の前端側を拡大表示したもので、図１（ｂ）は、本願発明の検針機１０００の側面図を示すものである。なお、詳しくは後述するが、本願発明の検針機は、図３及び図４に示す従来の検針機に、本願発明の検出センサーの動作確認方法を実行する動作確認装置６００、及び検針機１０００の設置状態の測定を行う設置状態測定装置９００を加えたもので、他の構成は従来と同一である。また、本願発明の検出センサーの動作確認方法を実行する、専用のテストピース５１０を利用するものである。
【００２１】
次に、図２には、本願発明の検針機１０００のシステム構成の概略図を示す。主に、本システムは、搬送ベルト２００を任意の方向へ駆動するモータＭと、当該モータＭを制御するモーターコントローラ８００とを備える駆動系システムと、検出センサー３１０から検出センサー３５０の検出値を読み込んで統合するメインコントローラ７００と、検出値から検出センサーの異常を検知する動作確認装置６００と、検出値から検針機１０００の設置状態を測定する設置状態測定装置９００とを備える制御系システムとからなる。また、不図示であるが、動作確認装置６００は、検出センサーの検出値から、異常を判断する処理を実行可能なＣＰＵ（演算装置）と、本処理を実行するためのプログラムを記録したメモリ（記憶装置）を備えている。また、設置状態測定装置９００は、検出センサーの検出値を用いて検針機１０００の設置状態を測定する処理を実行可能なＣＰＵ（演算装置）と、本処理を実行するためのプログラムを記録したメモリ（記憶装置）を備えている。
【００２２】
また、図１（ａ）に示すように、本願発明の検出センサーの動作確認方法を実行するための専用のテストピース５１０は、略直方体の設置台５００の上側表面に設置されている。このテストピース５１０は、検出センサーが反応可能な金属製の物質であれば任意の材質で構成することができる。本実施例では、テストピース５１０が均一の厚さ及び幅で、長尺状の形状とすることが望ましいため、粒状又は液体状の金属製材料を、図１（ａ）に示すように、均一の厚さ及び幅の長尺状の形状となるように、設置台５００の上側表面に塗布している。なお、テストピースに利用される金属は特に限定されないが、実際の検針機の使用現場では、鉄製の縫い針等の混入を検出し、それ以外の金属製の装飾品は検出されないようにしたいため、テストピースに利用される金属製の物質は主に鉄が採用されている。
【００２３】
さらに、このテストピース５１０は、検出センサー３１０の検出領域３１３から検出センサー３５０の検出領域３５３まで横断できるように、検出領域３１３から検出領域３５３までの横方向（つまり、テストピース５１０が進入してくる方向に対して、直角方向）の幅と、ほぼ同じ長さとなっている。
【００２４】
では、このテストピース５１０を用いた、検出センサーの動作確認方法について説明する。
【００２５】
まず、ユーザは、テストピース５１０を備える設置台５００を、検出ヘッド３００の前方の搬送ベルト２００上であって、テストピース５１０が検出センサー３１０の検出領域３１３から検出センサー３５０の検出領域３５３にまで略平行になるように設置する。次に、ユーザは、不図示のインタフェースを介して、検出センサーの動作確認を実行するように、メインコントローラ７００に指令を出す。すると、メインコントローラ７００は、テストピース５１０が検出ヘッド３００へ向けて搬送されるように、モーターコントローラ８００へ指令を送る。当該指令を受信したモーターコントローラ８００は、図１（ａ）に示す矢印の方向へ、搬送ベルト２００を駆動するように、モータＭを制御する。
【００２６】
そして、テストピース５１０が搬送ベルト２００によって搬送されて、検出センサー３１０の検出領域３１３から検出センサー３５０の検出領域３５３を、図１（ａ）に示す矢印のように、前方から後方へ貫通するように横断してゆく。すると、各検出領域内の磁界が乱され、各検出センサーは、テストピース５１０が自身の検出領域を横断した際の検出値Ｄ（誘起電圧値）を取得する。さらに、各検出値Ｄはメインコントローラ７００を介して、動作確認装置６００へ逐次伝達される。なお、検出センサー３１０の検出値はＤ１、検出センサー３２０の検出値はＤ２、検出センサー３３０の検出値はＤ３、検出センサー３４０の検出値はＤ４、検出センサー３５０の検出値はＤ５となっている。
【００２７】
この動作確認装置６００は、各検出センサーの検出値から、各検出センサーが異常か否かを個別に判断するために、正常な各検出センサーの検出領域をテストピース５１０が横断した際に検出された正常値を、予め測定して保有している。以下では、図１（ｃ）を参照して、各検出センサーから得られた検出値（Ｄ１〜Ｄ５）に基づいて、動作確認装置６００が、各検出センサーの異常を判断することについて説明する。
【００２８】
なお、各検出センサーから得られた各検出値（Ｄ１〜Ｄ５）は、各検出領域の横幅全体（検出感度の弱い部分も強い部分も含む）をテストピース５１０が横断した際の検出値である。
【００２９】
まず、図１（ｃ）には、テストピース５１０が各検出領域を前方から後方へ貫通するように横断した際に、正常な各検出センサーが検出した正常値Ｔ０が示してある。さらに、この正常値Ｔ０を中心に、正常な範囲であると見なしても問題がない許容範囲（Ｔ１からＴ２）を設定している。そして、動作確認装置６００は、例えば、検出センサー３１０から取得された検出値Ｄ１が、図１（ｃ）に示すように、許容範囲を超えて異常に大きくなっていた場合は、この検出値Ｄ１が異常値であると判別し、検出センサー３１０は正常に動作していないと、ユーザに通知する。また、検出センサー３４０から取得された検出値Ｄ４が、図１（ｃ）に示すように、許容範囲に至らず異常に小さくなっていた場合は、この検出値Ｄ４が異常値であると判別し、検出センサー３４０は正常に動作していないと、ユーザに通知する。なお、本実施例では、動作確認装置６００が、検出値が異常値か否か判別しているがこれに限定されず、ユーザが、各検出値が許容範囲（Ｔ１からＴ２）内に収まっているか否かを判断して、検出値の異常を判別してもよい。
【００３０】
上述したように、本実施例では、一列に並んだ全ての検出センサーの各検出領域（３１３から３５３）を横断可能なテストピース５１０を用いて、当該テストピース５１０が各検出領域（３１３から３５３）を横断した際の検出値に基づいて、検出センサーの動作確認を行っている。
【００３１】
つまり、各検出領域（３１３から３５３）を横断するということは、各検出領域（３１３から３５３）の横方向（つまり、テストピースが進入してくる方向に対して、直角方向）の全幅を横断できるので、各検出領域の検出感度の弱い部分も強い部分も必ず横断することになる。そして、図１（ｃ）に示すように、各検出センサーごとに、検出感度の弱い部分も強い部分も含めた検出領域全体の検出値を測定して、正常値と比較判断することで、各検出センサーごとの動作確認が可能となる。
【００３２】
その結果、本実施例では、従来技術のように、ユーザが、検出領域のある特定の部分（検出感度が弱い部分）に、球状のテストピースを通過させなければならないという、非常に手間のかかる作業をする必要がないのである。さらに、検出センサーの各検出領域（３１３から３５３）を横断可能なテストピース５１０を、検出センサーに略平行となるように単純に設置すればよいだけなので、従来技術のような、球状のテストピースの設置場所の正確性や再現性が低いという問題も生じない。
【００３３】
また、検出センサーの検出値には、ノイズが含まれている場合があるので、フィルター処理をしてノイズを除去したり、テストピース５１０を検出センサーへと自動で複数回横断させて、取得された複数の検出値の平均をとり、その平均値と正常値を比較してもよい。また、図１（ｃ）に示す異常値の判別は一例に過ぎず、検出値Ｄを全く検出できない場合、検出値Ｄが異様な波形を示す場合等を異常と判別するなど、その判別方法は仕様に合わせて任意に決定することができる。
【００３４】
なお、本願発明において、テストピースが検出センサーの検出領域を横断するとは、テストピースが検出センサーの検出領域の横方向の幅全てを一度に通過することの他にも、動作確認の精度に影響が及ばない範囲で、テストピースが検出センサーの検出領域の横方向の幅より、多少短い幅又は多少長い幅の領域まで一度に通過することも含む。
【００３５】
また、本願発明の動作確認方法を実施し、検出センサーが正常に動作することを確認できた場合は、当該確認事実を証明する証明書等をプリンタ等で発行して、衣類等の対象物に添付してもよい。さらに、本願発明の動作確認方法は、本実施例のように、１つの検出ヘッドを備える検針機のみではなく、特許文献１に示す先行技術のように、２つの検出ヘッドを備える検針機についても適用できる。また、本願発明の動作確認方法は、本実施例のように、検出センサーの検出領域に磁界を発生させた検針機以外にも、他の検出原理を利用した、互いの検出領域が重なる複数の検出センサーを備える検針機についても適用できる。
【００３６】
では次に、検出センサーを用いて、検針機１０００の設置状態を測定する方法について説明する。なお、当該方法は、先述したテストピースを用いた各検出センサーの動作確認を行う前に又は後に、実行することが出来る。
【００３７】
まず、ユーザは、工場等の床面に検針機１０００を設置し、この設置場所が、外部環境から侵入する電磁波等のノイズの影響が無く、正常に作動するのに適した場所であるのか否かの確認を行う。そのために、ユーザは、不図示のインタフェースを介して、検針機１０００の設置状態の測定を実行するように、設置状態測定装置９００に指令を出す。図２に示すように、指令を受けた設置状態測定装置９００は、メインコントローラ７００に対して、搬送ベルト２００が停止した状態で、各検出センサー（３１０、３２０、３３０、３４０、３５０）の検出値を取得するように指令を出す。すると、メインコントローラ７００は、搬送ベルト２００が停止した状態となるように、モーターコントローラ８００へ指令を送る。次に、搬送ベルト２００が停止した状態において、各検出センサー（３１０、３２０、３３０、３４０、３５０）の検出値Ｋ１を取得し、各検出値Ｋ１はメインコントローラ７００を介して、設置状態測定装置９００へ伝達される。そして、設置状態測定装置９００は、当該検出値Ｋ１をインタフェースの画面に表示し、ユーザに当該検出値Ｋ１の確認を促すのである。
【００３８】
ここで、ユーザは、検針機１０００が、外部環境から電磁波等のノイズが侵入しない最適な場所に設置された場合において、測定された各検出センサーの検出値Ｋ０（正常値Ｋ０）を、事前に入手している。例えば、検針機１０００の取扱説明書等に、この検出値Ｋ０は掲載されている。なお、各検出センサーの検出値K０は、検針機１０００が外部環境から電磁波等のノイズが侵入しない最適な場所に設置された場合に測定されているのは当然のこと、検針機１０００が正常であり、検針機１０００が水平な床面等の場所に安定して設置された最適な状態で測定されている。そのため、検出値Ｋ０（正常値Ｋ０）は、後述する検出値Ｌ０（正常値Ｌ０）と実質的には同じ値となる。
【００３９】
そして、ユーザは、インタフェースの画面に表示された検出値Ｋ１と、事前に入手している検出値Ｋ０とを比較して、検出値Ｋ１と検出値Ｋ０とが略等しければ、検出センサーの検出領域に外部から電磁波等のノイズが侵入していないと判断できる。そして、検針機１０００が設置された場所は、外部からノイズ等が侵入することなく、検出センサーに悪影響を及ぼさないことから、検針機１０００の設置状態は良好であると確認することが出来るのである。
【００４０】
一方、ユーザは、インタフェースの画面に表示された検出値Ｋ１と、事前に入手している検出値Ｋ０とを比較して、許容範囲を超えて、検出値Ｋ１と検出値Ｋ０とが大きく異なっていれば、検出センサーの検出領域に外部から電磁波等のノイズが侵入していると判断出来る。そして、検針機１０００が設置された場所は、外部からノイズ等が侵入しており、検出センサーに悪影響を及ぼすことから、検針機１０００の設置状態は悪いと確認することが出来るのである。そして、ユーザは、検針機１０００の設置状態が悪いという結果を確認できたので、設置状態を改善すべく、例えば、電磁波等のノイズが外部から侵入しないように、外部からのノイズを遮断する対策を取ることが出来るのである。
【００４１】
なお、上述した方法では、検針機１０００の設置場所が、外部環境から侵入する電磁波等のノイズの影響が無く、正常に動作するのに適した場所であるのか否かの確認を行っていたが、更に、検針機１０００が設置場所に水平に正しく設置されているか等について、検針機１０００の設置状態の追加の測定を行いたい場合がある。
【００４２】
その場合は、ユーザは、不図示のインタフェースを介して、検針機１０００の設置状態の追加の測定に切り換えるように、設置状態測定装置９００に指令を出す。図２に示すように、指令を受けた設置状態測定装置９００は、メインコントローラ７００に対して、搬送ベルト２００が動作した状態で、各検出センサー（３１０、３２０、３３０、３４０、３５０）の検出値を取得するように指令を出す。すると、メインコントローラ７００は、搬送ベルト２００が動作した状態となるように、モーターコントローラ８００へ指令を送る。次に、搬送ベルト２００が動作した状態において、各検出センサー（３１０、３２０、３３０、３４０、３５０）の検出値L１を取得し、各検出値L１はメインコントローラ７００を介して、設置状態測定装置９００へ伝達される。そして、設置状態測定装置９００は、当該検出値L１をインタフェースの画面に表示し、ユーザに当該検出値L１の確認を促すのである。
【００４３】
ここで、ユーザは、検針機１０００が、水平な床面等の場所に安定して設置された場合において、測定された各検出センサーの検出値Ｌ０（正常値Ｌ０）を、事前に入手している。例えば、検針機１０００の取扱説明書等に、この検出値Ｌ０は掲載されている。なお、各検出センサーの検出値Ｌ０は、検針機１０００が、水平な床面等の場所に安定して設置された場合に測定されているのは当然のこと、検針機１０００が正常であり、外部からのノイズが侵入しない最適な場所で測定されている。そのため、検出値Ｌ０（正常値Ｌ０）は、検出値Ｋ０（正常値Ｋ０）と実質的には同じ値となる。
【００４４】
そして、ユーザは、インタフェースの画面に表示された検出値Ｌ１と、事前に入手している検出値Ｌ０とを比較して、検出値Ｌ１と検出値Ｌ０とが略等しければ、検針機１０００が水平な床面等の場所に安定して設置されていると判断できる。そして、検針機１０００は水平に安定して設置されているので、搬送ベルト２００を駆動して検出動作を実施しても、検針機１０００は振動することは無く安定して設置された状態を維持できる。そのため、検針機１０００の振動による検出センサーの検出領域内の磁界の乱れも生じないので、測定値に悪影響を及ぼしていないことから、検針機１０００の設置状態は良好であると確認することが出来るのである。
【００４５】
一方、ユーザは、インタフェースの画面に表示された検出値Ｌ１と、事前に入手している検出値Ｌ０とを比較して、許容範囲を超えて、検出値Ｌ１と検出値Ｌ０とが大きく異なっていれば、検針機１０００が水平な場所に安定して設置されていないと判断できる。具体的には、検針機１０００は水平に安定して設置されていないので、搬送ベルト２００を駆動して検出動作を実施すると、搬送ベルト２００の動きに呼応して、検針機１０００が振動する。そのため、検針機１０００の振動によって、検出センサーの検出領域内の磁界に乱れが生じ、測定値に悪影響を及ぼしていることから、検出値Ｌ１が、許容範囲を超えて、正常な検出値Ｌ０から大きく離れることになる。その結果、検針機１０００の設置状態は悪いと確認することが出来るのである。そして、ユーザは、検針機１０００の設置状態が悪いという結果を確認できたので、設置状態を改善すべく、例えば、検針機１０００を水平な場所に設置し直す等の対策を取ることが出来るのである。
【００４６】
なお、上述した、搬送ベルト２００を駆動した状態で、検針機１０００の設置状態の追加の測定を行うと、以下の影響を確認することもできる。具体的には、搬送ベルト２００を駆動する機構の一部（例えば、モーター）に不具合があると、搬送ベルト２００の駆動時に振動が生じる。その振動により、検出センサーの検出領域内の磁界に乱れが生じ、検出センサーの検出値に悪影響を及ぼすことがあり、検出値Ｌ１が、許容範囲を超えて、正常な検出値Ｌ０から離れることになる。例えば、検針機１０００を水平な場所に設置しても、検出値Ｌ１が、許容範囲を超えて、正常な検出値Ｌ０から離れている場合は、搬送ベルト２００を駆動する機構の一部に不具合が生じている可能性があると判断できる。その他には、搬送ベルト２００の表面に汚れが付着している場合は、搬送ベルト２００を透過する磁界の強度が変わってしまう。そのため、検出センサーの検出領域内の磁界の強度が変わってしまい、検出センサーの検出値に悪影響を及ぼすことがあり、検出値Ｌ１が、許容範囲を超えて、正常な検出値Ｌ０から離れることになる。例えば、検針機１０００を水平な場所に設置しても、検出値Ｌ１が、許容範囲を超えて、正常な検出値Ｌ０から離れている場合は、搬送ベルト２００の表面に汚れが付着しており、検出結果に悪影響を及ぼしている可能性があると判断できる。
【００４７】
なお、上述した検針機１０００の設置状態の測定は、搬送ベルト２００上に衣類等の対象物を載置していない状態で行っている。また、搬送ベルト２００を停止した状態での検針機１０００の設置状態の測定と、搬送ベルト２００を駆動した状態での検針機１０００の設置状態の測定は、ユーザが、インタフェースを操作して切り替えて行うことが出来る。
【００４８】
なお、本願発明の検針機の動作方法、及び、検針機は、上記の実施例に限定されず、特許請求の範囲に記載された範囲、実施形態の範囲で、種々の変形例、組み合わせが可能であり、これらの変形例、組み合わせもその権利範囲に含むものである。
【図１】
2020204482.tif 000003
【図２】
2020204482.tif 000004
【図３】
2020204482.tif 000005
【図４】
2020204482.tif 000006